(57)【要約】【課題】  建物の床及び側壁を断熱する為の建築用断熱材であって、製作コストが安いと共に、取付け施工が簡単な断熱材の提供。【解決手段】  台湾ヒノキや青森ヒバなどでヒノキチオール成分を含む木材チップ１，１・・及び鉋屑などを筒状袋３に収容して構成している。【選択図】    図２
2005155289.tif 000002
【特許請求の範囲】
【請求項１】
建築用断熱材において、台湾ヒノキや青森ヒバなどでヒノキチオール成分を含む木材チップ及び鉋屑などを筒状の繊維袋に収容したことを特徴とする建築用断熱材。
【請求項２】
上記筒状繊維袋として丸網生地を使用し、外周が１０ｃｍ〜１５０ｃｍとした請求項１記載の建築用断熱材。
【請求項３】
建築物の床を断熱する構造において、台湾ヒノキや青森ヒバなどでヒノキチオール成分を含む木材チップ及び鉋屑などを筒状の繊維袋に収容した断熱材を床桟の上に配列し、所々に設けている仕切り桟に床板を取付けたことを特徴とする建築物の床断熱構造。
【請求項４】
建築物の側壁断熱する構造において、台湾ヒノキや青森ヒバなどでヒノキチオール成分を含む木材チップ及び鉋屑などを筒状の繊維袋に収容した断熱材を側壁の内壁板と外壁板の間に形成される空間に収容したことを特徴とする建築物の側壁断熱構造。
【発明の詳細な説明】
【技術分野】
【０００１】
本発明はヒノキチオール成分を含む木材チップ及び鉋屑等を使用した建築用断熱材及び断熱構造に関するものである。
【背景技術】
【０００２】
建築用断熱材として従来からグラスウール、ロックウール、発泡ウレタン、発泡スチレンなどが使用されている。これら素材は科学物質であって熱の伝導率が小さくて内部に小さな空隙が形成されることから、軽くて扱い易く、しかも断熱効果に優れている。大きな空間を仕切る為の建築用間仕切りパネルの充填材として多用されている。
【０００３】
上記発泡ウレタンや発泡スチレンは水分を吸収し易い構造と成っているが、一旦吸収した水分は空気の流出がない為に、床の断熱材として使用する場合には吸収した水分の放出に時間がかかって該断熱材と床との間が結露し、カビの発生原因となる。又、グラスウールやロックウールに関しては、塩化ビニール等の袋に入れて使用するために通気性が損なわれ、グラスウール及びロックウール素材が持つ本来の調湿効果を発揮することが出来ない。
【０００４】
特開平１１−２９３８０２号に係る「建築用断熱材の製造方法及び建築用断熱材」は従来技術の１つである。この「建築用断熱材」は、適宜圧縮された鉋屑等の木屑層の表面側に紙製の表面側被覆材を、裏面側に紙製の裏面側被覆材を各々配し、木屑層の木屑相互及び木屑層と表面側被覆材と裏面側被覆材とを適宜糊剤をバインダーとして接着して構成している。
【０００５】
上記建築用断熱材は所定の成形型に断熱材の表面側に配されるようになる紙製の表面側被覆材をセットし、液状糊剤で木屑を濡らして成形型に均等に入れ、該木屑層の上に断熱材の裏面側に配されるようになる紙製の裏面側被覆材をセットし、この状態で木屑を圧縮成形する。
【０００６】
しかし、上記建築用断熱材は糊剤で固めてしまうことから、木屑本来の調湿効果を１００％発揮することは出来ない。しかも、成形型にて糊剤を用いて成形しなくてはならない為に製造コストは高くなってしまう。一方、所定の形状をした板材として成形されるために、込み入った隙間に該断熱材を配置するには、嵌るように切断加工して形状を整える必要があり、取付け施工にも時間がかかる。
【特許文献１】特開平１１−２９３８０２号に係る「建築用断熱材の製造方法及び建築用断熱材」
【発明の開示】
【発明が解決しようとする課題】
【０００７】
このように、従来の建築用断熱材には上記のごとき問題がある。本発明が解決しようとする課題はこれら問題点であり、木屑の特性を十分に生かし、製作並びに施工を簡単に行うことが出来る建築用断熱材及び断熱構造を提供する。
【課題を解決するための手段】
【０００８】
本発明に係る建築用断熱材は、台湾ヒノキ及び青森ヒバ等のチップや鉋屑などを材料として使用し、これを床下や側壁に配置することで構成する。台湾ヒノキや青森ヒバにはヒノキチオール成分が含まれ、アレルギー、ストレスに効果があり、細かいチップは結露防止に大きな効果を発揮する。
【０００９】
ところで、本発明の建築用断熱材は細長い筒状袋に台湾ヒノキや青森ヒバなどのチップを収容し、これを床下や側壁内部に配置する。床を断熱する場合であれば、床桟を設けると共に該床桟上に垂直に仕切り桟を取着し、台湾ヒノキや青森ヒバのチップを収容した筒状袋を各仕切り桟の間に配列する。床板は仕切り桟上に配列して固定される。側壁を断熱する場合も内壁板と外壁板との間に形成される空間に断熱材が充填される。ここで、筒状袋の大きさや形態は限定しないことにする。
【発明の効果】
【００１０】
本発明の断熱材は台湾ヒノキや青森ヒバのチップを筒状袋に収容して構成してものであり、これを床や側壁に入りすることが出来る。筒状袋に収容されている為に適当な場所に置くだけでよく、施工が簡単である。そして、断熱材を製造する工程も簡単であり、筒状袋にチップを詰めることで出来上がり、筒状袋にチップを収容した断熱材は剛体でなく、その形は配置する場所の空間形状に応じて変えることが出来る為に、隙間なく充填することが可能となり、建築物の断熱性能は向上する。
【００１１】
そして、台湾ヒノキや青森ヒバにはアレルギーの原因となるダニ等を退治することが出来る。台湾ヒノキに含まれるヒノキチオールによって、ダニの増殖を抑えることが出来、その他、防虫、殺菌、殺虫の効果があり、アトピーの治療にも効能がある。台湾ヒノキのノコギリ屑にいるダニは１４日目で繁殖行動率が０％となる。
【００１２】
又、台湾ヒノキに含まれるヒノキチオールの香りは、自然感を最も強く感じさせ、その結果、緊張を抑制し、ストレスを軽減することが出来る。さらに、疲労回復にも効果的である。一方、台湾ヒノキや青森ヒバのチップは、床や側壁の結露を防止する効果が高い。すなわち、本発明の断熱材を床下及び側壁に収容することで、部屋の湿度は一定し、調湿効果を得ることが出来る。
【実施例】
【００１３】
図１は台湾ヒノキのチップ１を山状にして積み上げた状態を示している。該チップ１の大きさや形状は任意であり、建材として加工した台湾ヒノキの残り切れ端を細かく裁断して作ることが出来、本発明の断熱材はこの台湾ヒノキを筒状袋に収容して構成される。台湾ヒノキにはヒノキチオール成分が多く含まれ、本発明が断熱材の素材として使用する理由がここにある。
【００１４】
図２は本発明に係る断熱材２を示す実施例であり、筒状袋３の中には台湾ヒノキの上記チップ１，１・・が収容されている。該筒状袋３は丸網したニット生地を使用することが出来、筒状の丸網生地に台湾ヒノキチップを詰めて、両端が紐で結ばれている。このように、台湾ヒノキをチップにして筒状袋に収容した断熱材は、大小無数の空気層が内部に形成されて断熱効果が高い。断熱材２の太さは色々あり、例えば外周が１０ｃｍ〜１５０ｃｍのものが建築用断熱材として汎用性があって使い易い。
【００１５】
特開平１１−２９３８０２号に係る「建築用断熱材」の場合には、木屑であるチップが型に入れられてプレス成形されることから、内部に形成される空気層は限られてしまう。そして、糊剤がチップを結合する為に介在することで、内部に形成される空気層は減少する。
【００１６】
図３は床に本発明の断熱材２，２・・を配置した場合であり、床の断熱構造を示す実施例である。同図の４は床桟、５は仕切り桟を表しているが、床桟４，４・・の上には仕切り桟５，５・・が等間隔で垂直方向に配列されて取付けられている。そして、各仕切り桟５，５・・の間には本発明の断熱材２，２・・が収容されている。
【００１７】
断熱材２は筒状袋３に台湾ヒノキを細かくしたチップ１，１・・が充填されたものであるが、仕切り桟５，５との間に隙間が残らないように、長円形断面に潰した状態で収容されている。このように長円計断面に潰さなくても、細い円形断面の断熱材２，２・・を両仕切り桟５，５の間に複数本配列することも可能である。断熱材２，２・・を備えない従来の床構造では、上記床桟４，４・・の上に床板が取付けられるが、本発明では床桟４，４・・の上に配置した仕切り桟５，５・・の上に床板が取付けられる。
【００１８】
従って、床板の下側に断熱材２，２・・が配列されることで、床はその下側が断熱されて熱の伝達が抑制される。同じように、側壁の場合にも、内壁板と外壁板との間に形成される空間に上記断熱材２，２・・を収容することで、部屋の側壁が断熱されて外との熱伝達が抑制される。
【図面の簡単な説明】
【００１９】
【図１】台湾ヒノキのチップ
【図２】本発明に係る断熱材。
【図３】本発明に係る床の断熱構造。
【符号の説明】
【００２０】
１  チップ
２  断熱材
３  筒状袋
４  床桟
５  仕切り桟
【図１】
2005155289.tif 000003
【図２】
2005155289.tif 000004
【図３】
2005155289.tif 000005